(57)【要約】【課題】  例えば規格品ＲＪ４５，ＲＪ１１等、複数種のモジュール差込口に共用できるモジュラージャックを提供すること。【解決手段】  規格が異なる第１，第２のモジュラープラグ６０，７０に共用されるモジュラージャック３０であって、第２のモジュラープラグ７０よりも狭い幅Ｗ３の差込口を有する第１のモジュラープラグ６０に嵌入される幅Ｗ１のジャック本体３４と、ジャック本体３４の両側面３４ａ，３４ｂにて退避位置と使用位置とに移動可能に取り付けられた一対のスペーサ部材３６，３８とを有する。一対のスペーサ部材３６，３８がジャック本体３４の両側面３４ａ，３４ｂと重なる使用位置にあるときに、ジャック本体３４及び一対のスペーサ部材３６，３８によって、広い幅Ｗ４の差込口を有する第２のモジュラープラグに適合する幅Ｗ２に設定される。【選択図】      図２
0003127807.tif 000002
【実用新案登録請求の範囲】
【請求項１】
規格が異なる第１，第２のモジュラープラグに共用されるモジュラージャックであって、
前記第２のモジュラープラグよりも狭い差込口を有する前記第１のモジュラープラグに嵌入される幅のジャック本体と、
前記ジャック本体の両側面にて退避位置と使用位置とに移動可能に取り付けられた一対のスペーサ部材と、
を有し、
前記一対のスペーサ部材が前記ジャック本体の両側面と重なる使用位置にあるときに、前記ジャック本体及び前記一対のスペーサ部材が、広い差込口を有する前記第２のモジュラープラグに嵌入されることを特徴とするモジュラージャック。
【請求項２】
請求項１において、
前記第１のモジュラープラグにはＭ（Ｍは２以上の整数）個の端子が配置され、前記第２のモジュラープラグにはＮ（Ｎ＞Ｍ）個の端子が前記Ｍ個の端子と同一ピッチ配列にて配置され、
前記ジャック本体内には、前記同一ピッチ配列にて前記Ｎ個の端子が配置され、
前記ジャック本体が前記第１のモジュラープラグに嵌入された際には、前記ジャック本体の前記Ｎ個の端子のうちのＭ個が、前記第１のモジュラープラグの前記Ｍ個の端子と接続されることを特徴とするモジュラージャック。
【請求項３】
請求項２において、
前記第１のモジュラープラグは規格品ＲＪ１１であり、前記第２のモジュラープラグは規格品ＲＪ４５であることを特徴とするモジュラージャック。
【請求項４】
請求項１乃至３のいずれかにおいて、
前記一対のスペーサ部材は、前記ジャック本体の両側面にて回動可能に取り付けられていることを特徴とするモジュラージャック。
【請求項５】
請求項４において、
前記一対のスペーサ部材の各々は自由端と回動端とを有し、
前記自由端と回動端との間の位置にて、前記一対のスペーサ部材同士を連結する連結部材をさらに有することを特徴とするモジュラージャック。
【請求項６】
請求項５において、
前記ジャック本体の上面にはロッキングアームが取り付けられ、
前記一対のスペーサ部材が前記使用位置にあるときに、前記連結部材は、前記ジャック本体の下面と対向する位置に設定され、かつ、前記第２のモジュラープラグの差込口と干渉しないことを特徴とするモジュラージャック。
【請求項７】
請求項６において、
前記ジャック本体の前記下面には凹部が形成され、前記使用位置に設定された前記連結部材は前記凹部に収容されることを特徴とするモジュラージャック。
【請求項８】
請求項１乃至７のいずれかに記載のモジュラージャックをケーブルの両端部に接続したことを特徴とするモジュラージャック付き接続ケーブル。
【考案の詳細な説明】
【技術分野】
【０００１】
本考案は、例えば規格品ＲＪ４５，ＲＪ１１等、複数種のモジュール差込口に共用できるモジュラージャック及びそれを備えた接続ケーブルに関する。
【背景技術】
【０００２】
Ｉｎｔｅｒｎｅt、ＬＡＮ（Local Area Network）、ＩＳＤＮ（Integrated Service Digital Network、統合サービス・ディジタル網）等に使用されるコネクタは規格品ＲＪ４５と称される８ピンコネクタである。ＩＥＥＥ規格の「インサーネット」（Ｅｔｈｅｒｎｅｔ：登録商標）と呼ばれる低価格ＬＡＮが現在普及しており、これについては一般の電話回線用モジュラージャックに使用されている規格品ＲＪ１１と称される２〜６ピンコネクタが使用されている。
【特許文献１】特開２００４−１９４２５８号公報
【考案の開示】
【考案が解決しようとする課題】
【０００３】
このように、双方のコネクタ規格が異なるので、利用者にとってはその使用に不便をきたしている。つまり、両方の回線を利用する利用者はモジュラージャックの規格が異なる二種類のケーブルを用意しなければならないからである。
【０００４】
特に、モバイルとして携帯する際には付属品が増えて不便である。
【０００５】
そこで、本考案の目的は、例えば規格品ＲＪ４５，ＲＪ１１等、複数種のモジュール差込口に共用できるモジュラージャックを提供することにある。
【課題を解決するための手段】
【０００６】
本考案の一態様は、規格が異なる第１，第２のモジュラープラグに共用されるモジュラージャックであって、
前記第２のモジュラープラグよりも狭い差込口を有する前記第１のモジュラープラグに嵌入される幅のジャック本体と、
前記ジャック本体の両側面にて退避位置と使用位置とに移動可能に取り付けられた一対のスペーサ部材と、
を有し、
前記一対のスペーサ部材が前記ジャック本体の両側面と重なる使用位置にあるときに、前記ジャック本体及び前記一対のスペーサ部材が、広い差込口を有する前記第２のモジュラープラグに嵌入されることを特徴とする。
【０００７】
本考案の一態様によれば、一対のスペーサ部材を退避位置と使用位置とに移動させることで、規格が異なる第１，第２のモジュラープラグに適合するように、モジュラープラグの幅を変化させることができる。
【０００８】
本考案の一態様において、前記第１のモジュラープラグにはＭ（Ｍは２以上の整数）個の端子が配置され、前記第２のモジュラープラグにはＮ（Ｎ＞Ｍ）個の端子が前記Ｍ個の端子と同一ピッチ配列にて配置され、
前記ジャック本体内には、前記同一ピッチ配列にて前記Ｎ個の端子が配置され、
前記ジャック本体が前記第１のモジュラープラグに嵌入された際には、前記ジャック本体の前記Ｎ個の端子のうちのＭ個を、前記第１のモジュラープラグの前記Ｍ個の端子と接続させることができる。こうして、第１，第２のモジュラープラグ間で端子数が異なっていても、最大端子数を備えたモジュラープラグを用意することによって、第１，第２のモジュラープラグに共用することができる。
【０００９】
本考案の一態様において、前記第１のモジュラープラグは、例えばＭ＝２〜６個の端子を備えた規格品ＲＪ１１であり、前記第２のモジュラープラグは、例えばＮ＝８個の端子を備えた規格品ＲＪ４５とすることができる。
【００１０】
本考案の一態様において、前記一対のスペーサ部材は、前記ジャック本体の両側面にて回動可能に取り付けることができる。こうすると、簡易な構造にて、一対のスペーサ部材を退避位置と使用位置とに移動させることができる。
【００１１】
本考案の一態様において、前記一対のスペーサ部材の各々は自由端と回動端とを有し、
前記自由端と回動端との間の位置にて、前記一対のスペーサ部材同士を連結する連結部材をさらに有することができる。
【００１２】
連結部材によって、一対のスペーサ部材を一体で回動させることができる。
【００１３】
本考案の一態様において、前記ジャック本体の上面にはロッキングアームが取り付けられ、
前記一対のスペーサ部材が前記使用位置にあるときに、前記連結部材は、前記ジャック本体の下面と対向する位置に設定され、かつ、前記第２のモジュラープラグの差込口と干渉させないようにすることができる。
【００１４】
こうして、ロッキングアームに干渉させずに一対のスペーサ部材及び連結部材を回動させることができ、しかも第２のモジュラープラグの差込口へも連結部材が干渉することはない。
【００１５】
本考案の一態様において、前記ジャック本体の前記下面には凹部が形成され、前記使用位置に設定された前記連結部材を前記凹部に収容することができる。
【００１６】
こうして、連結部材が第２のモジュラープラグの差込口に干渉することを防止しても良い。
【００１７】
本考案の他の態様は、上述したモジュラージャックをケーブルの両端部に接続したことを特徴とするモジュラージャック付き接続ケーブルを定義している。
【考案を実施するための最良の形態】
【００１８】
以下、本考案の一実施形態について図面を参照して説明する。図１は、本考案の一実施形態に係るモジュラージャック付き接続ケーブルを示している。このモジュラージャック付き接続ケーブル１０は、ケーブル２０の両端にそれぞれモジュラージャック３０を備える。
【００１９】
モジュラージャック３０は、図２に示すように、上面にロッキングアーム３２を備えたジャック本体３４を有する。このジャック本体３４の両側面３４ａ，３４ｂには、一対のスペーサ部材３６，３８が回動自在に取り付けられている。
【００２０】
一対のスペーサ部材３６，３８は、それぞれ、回動支点４１を有する回動端４０と自由端４２とを有する。この自由端４２と回動端４０との間の位置にて、一対のスペーサ部材３６，３８同士を連結する連結部材４４が設けられている。
【００２１】
一対のスペーサ部材３６，３８は、例えば図２の実線で示す位置を「退避位置」とする。このとき、モジュラージャック３０の幅は、ジャック本体３４の幅Ｗ１と一致する。
【００２２】
一対のスペーサ部材３６，３８は、図２の破線で示す位置を「使用位置」とする。このとき、一対のスペーサ部材３６，３８は、ジャック本体３４の両側面と重合する位置に設定される。一対のスペーサ部材３６，３８の各々の板厚をＴとすると、モジュラージャック３０の幅Ｗ２は、ジャック本体３４の幅Ｗ１＋２Ｔとなる。
【００２３】
一対のスペーサ部材３６，３８は、上述した「退避位置」と「使用位置」との間で、図２に示すように支点４１を中心として回動可能である。この一対のスペーサ部材３６，３８は、連結部材４４がロッキングアーム３２と干渉しない側の可動軌道を経由して移動する。
【００２４】
なお、連結部材４４を設けると、一対のスペーサ部材３６，３８を一体で回動できる利点を有する。ただし、連結部材４４は必ずしも設ける必要は無く、一対のスペーサ部材３６，３８をそれぞれ独立して回動させても良い。
【００２５】
また、「退避位置」とは、「使用位置」でない位置であれば良い。連結部材４４を有する場合には、一対のスペーサ部材３６，３８が「使用位置」から完全に退避され、例えばケーブル１０の下側に連結部材４４が配置されて「退避位置」に設定される。
【００２６】
図３は、モジュラージャック３０を裏面から見た斜視図である。モジュラージャック３０の裏面には、複数例えばＮ＝６〜８個の端子が露出して配置される端子収容部５０が設けられている。
【００２７】
図４及び図５は、上述したモジュラージャック３０が共用される２種類のモジュラープラグの差込口を示している。図４に示す第１のモジュラープラグ６０は、例えばＭ＝２〜６個の端子６２を備えた規格品ＲＪ１１である。図５に示す第２のモジュラープラグ７０は、例えばＮ＝８個の端子７２を備えた規格品ＲＪ４５である。規格品ＲＪ１１の差込口の幅Ｗ３は、規格品ＲＪ４５の差込口の幅Ｗ４よりも狭く、Ｗ３＜Ｗ４となっている。ただし、第１のモジュラープラグ６０の６個の端子６２と、第２のモジュラージャック７０の８個の端子７２とは、共に同一ピッチ配列である。
【００２８】
図６は、第１のモジュラープラグ６０にモジュラージャック３０を接続した概略横断面図である。このとき、一対のスペーサ部材３６，３８は「退避位置」に設定される。このときのモジュラージャック３０の幅Ｗ１は、第１のモジュラープラグ６０の差込口の幅Ｗ３よりもわずかに小さく設定されるので、ジャック本体３４を第１のモジュラープラグ６０の差込口に適合して嵌入することができる。
【００２９】
このとき、ジャック本体３４のＮ個の端子５０の中の中央のＭ個は、第１のモジュラージャック６０のＭ個の端子と接続され、端部の（Ｍ−Ｎ）個の端子は非接続となる。
【００３０】
ここで、例えば規格品ＲＪ１１の場合には、中央の２回線または４回線が使用されるので、Ｍ＝２〜６個の端子を使用すればよい。つまり、３番端子と４番端子の一対を利用することによりアナログ電話機に接続することが可能であり、その２番端子ないし５番端子の４線を利用することによりディジタル電話機（ＩＳＤＮ）に接続することが可能である。さらに、２番端子ないし５番端子の４線を利用することにより、パーソナルコンピュータのイーサネット（登録商標）接続が可能になる。
【００３１】
一方、図７は、第２のモジュラープラグ７０にモジュラージャック３０を接続した概略横断面図である。このとき、一対のスペーサ部材３６，３８は「使用位置」に設定される。このときのモジュラージャック３０の幅Ｗ２は、第１のモジュラープラグ６０の差込口の幅Ｗ４よりもわずかに小さく設定されるので、ジャック本体３４を第２のモジュラープラグ７０の差込口に適合して嵌入することができる。また、図２に示すように、一対のスペーサ部材３６，３８の自由端４２は、ジャック本体３４の挿入先端部の輪郭形状と実質的に同一の輪郭形状となる。これにより、一対のスペーサ部材３６，３８は円滑に第２のモジュラープラグ７０内に嵌入される。
【００３２】
このとき、ジャック本体３４のＮ個の端子５０は、第２のモジュラージャック６０のＮ個の端子と接続される。
【００３３】
ここで、例えば規格品ＲＪ４５の場合には、Ｎ＝８個の端子を使用すればよい。８極（４対）ケーブルは、汎用されているＩＥＥＥ規格のイーサネット（Ｅｔｈｅｒｎｅｔ：登録商標）用のケーブルを使用することができる。イーサネット用のケーブルは、適当なハブを介してＩＰ（Ｉｎｔｅｒｎｅｔ Ｐｒｏｔｏｃｏｌ）サーバに接続することができるし、イーサネットはＰＢＸ（Ｐｒｉｖａｔｅ Ｂｒａｎｃｈ Ｅｘｃｈａｎｇｅ：内線交換）に接続することができるし、ＰＢＸは標準方式にしたがって公衆通信網に接続することができる。
【００３４】
なお、一対のスペーサ部材３６，３８が「使用位置」にあるときに、連結部材４４は、ジャック本体３４の下面と対向する位置に設定され、かつ、第２のモジュラープラグ７０の差込口と干渉しない位置に設定される。
【００３５】
好ましくは、図３に示すように、ジャック本体３４の下面３４ｃに凹部３５が形成され、使用位置に設定された連結部材４４は凹部３５に収容される。こうすると、連結部材４４は下面３４ｃと面一もしくは下面３４ｃよりも突出しないので、連結部材４４が第２のモジュラープラグ７０の差込口と干渉することを確実に防止できる。
【００３６】
本考案は、上述した実施形態に限定されるものではなく、本考案の要旨の範囲内で種々の変形実施が可能である。本考案は、必ずしも規格品ＲＪ１１，ＲＪ４５のペアに共用されるものに限らず、他のペアのモジュラープラグにも同様に適用することができる。
【図面の簡単な説明】
【００３７】
【図１】本考案の実施形態に係るモジュラージャック付き接続ケーブルを示す全体図である
【図２】図１に示すモジュラージャックの概略斜視図である。
【図３】図２に示すモジュラージャックを裏面側から見た斜視図である。
【図４】第１のモジュラープラグの差込口を示す図である。
【図５】第２のモジュラープラグの差込口を示す図である。
【図６】第１のモジュラープラグにモジュラージャックを接続した概略横断面図である。
【図７】第２のモジュラープラグにモジュラージャックを接続した概略横断面図である。
【符号の説明】
【００３８】
１０  モジュラージャック付き接続ケーブル、２０  ケーブル、
３０  モジュラージャック、３２  ロッキングアーム、３４  ジャック本体、
３４ａ，３４ｂ  両側面、３４ｃ  下面、３６，３８  一対のスペーサ部材、
４０  回動端、４１  回動支点、４２  自由端、４４  連結部材、
５０，６２，７２  端子、６０  第１のモジュラープラグ、
７０  第２のモジュラープラグ
【図１】
0003127807.tif 000003
【図２】
0003127807.tif 000004
【図３】
0003127807.tif 000005
【図４】
0003127807.tif 000006
【図５】
0003127807.tif 000007
【図６】
0003127807.tif 000008
【図７】
0003127807.tif 000009